(57)【要約】      （修正有）【課題】折りたたんだ状態のサイズが小さく、収納ケースの置き忘れや紛失を防止できる携帯用椅子を提供する。【解決手段】座面部材３０と、少なくとも一部が座面部材に固定され、分解可能に構成された脚部と、を有し、座面部材は、略中央で折りたたんでファスナー３１で開閉することで、分解した脚部を収納する収納ケースとなる。また、脚部は、互いに嵌合する複数のパイプ部材１１、１２、１３、１４、Ａ、Ｂと、パイプ部材の内側に配置された一繋がりのゴム紐と、を有する。【選択図】図１
0003230730.tif 000002
【実用新案登録請求の範囲】
【請求項１】
座面部材と、
少なくとも一部が前記座面部材に固定され、分解可能に構成された脚部と、を有し、
前記座面部材は、略中央で折り重ねることで、分解した前記脚部を収納する収納ケースとなる携帯用椅子。
【請求項２】
前記脚部は、互いに嵌合する複数のパイプ部材と、前記パイプ部材の内側に配置された一繋がりのゴム紐とを有する請求項１に記載の携帯用椅子。
【請求項３】
前記複数のパイプ部材は、複数のＵ字型パイプ部材と、互いに回動可能に結合された一対の直管パイプとを含む請求項２に記載の携帯用椅子。
【請求項４】
前記複数のＵ字型パイプ部材のいずれかが、前記座面部材に固定されている請求項３に記載の携帯用椅子。
【請求項５】
前記収納ケースは、ファスナーにより開閉する請求項１から４のいずれか一項に記載の携帯用椅子。
【考案の詳細な説明】
【技術分野】
【０００１】
本考案は、折りたたむことができる携帯用椅子に関する。
【背景技術】
【０００２】
従来の折りたたみ椅子としては、２つの長方形状のパイプの中央部で回動可能に結合し、上辺パイプ同士を四角形状の布で結び座面とする構成のものがある。このような従来の折りたたみ椅子では折り畳んだ時のサイズが大きいため、持ち運びに不便であると共に、収納ケースのサイズが大きくなる。そこで、折りたたんだ状態で座面サイズまで小型化が可能な携帯用椅子が提案されている（特許文献１参照）。
【先行技術文献】
【特許文献】
【０００３】
【特許文献１】特開２０１６−８６９９２号広報
【考案の概要】
【考案が解決しようとする課題】
【０００４】
特許文献１に記載の携帯用椅子は、折りたたんだ時のサイズが比較的小さいものの、これを収納する収納ケースを別体で準備する必要がある。このように収納ケースを別体で準備する場合、携帯用椅子を使用している最中に収納ケースを紛失したり、置き忘れたりするおそれがある。
【課題を解決するための手段】
【０００５】
上記課題を解決するため、本考案に係る携帯用椅子は、
座面部材と、
少なくとも一部が前記座面部材に固定され、分解可能に構成された脚部と、を有し、
前記座面部材は、略中央で折り重ねることで、分解した前記脚部を収納する収納ケースとなるものとする。
【考案の効果】
【０００６】
本考案によれば、折りたたんだ状態のサイズが小さく、収納ケースの置き忘れや紛失を防止できる携帯用椅子を提供することができる。
【図面の簡単な説明】
【０００７】
【図１】本考案の一実施形態に係る携帯用椅子の使用時の状態を示す斜視図である。
【図２】図２（Ａ）は、本考案の一実施形態に係る携帯用椅子の第１Ｕ字型パイプ部材を示す。図２（Ｂ）は本考案の一実施形態に係る携帯用椅子の第２Ｕ字型パイプ部材を示す。
【図３】図３（Ａ）は本考案の一実施形態に係る携帯用椅子の第１直管パイプ部材を示す。図３（Ｂ）は本考案の一実施形態に係る携帯用椅子の第２直管パイプ部材を示す。
【図４】本考案の一実施形態に係る携帯用椅子において脚部を収納する途中の状態を示す。
【図５】本考案の一実施形態に係る携帯用椅子において脚部を収納した状態を示す。
【考案を実施するための形態】
【０００８】
以下、本考案の一実施形態を図１乃至図５により説明する。図１は本考案の一実施形態に係る携帯用椅子１の使用時の状態を示す斜視図である。
【０００９】
図１に示す携帯用椅子１は、収納ケースとしての役割も果たす座面部材３０と、脚部を構成する第１四角形状部材４０と、第２四角形状部材５０とから構成される。
【００１０】
座面部材３０は、図５に示すように、脚部を収納した状態で、概ね長方形のポーチ状となり、一方の長辺部とその両側の一対の短辺部に連続して設けられたファスナー３１によって開閉可能に構成されている。このように構成することで、図４に示すように、座面部材３０は、開いた状態において、ほぼ平面状になり椅子部材の収納が容易になる。ファスナー３１に代えて、面ファスナーなどの公知の結合部材を用いても良い。
【００１１】
図４に示すように、座面部材３０の２つの長辺部近傍には、後述する椅子部材のＵ字型パイプ部材１１、１３を保持する保持部材３３、３４を設ける。保持部材３３、３４としては、円筒形状の布部材や、面ファスナー付きの布部材などを使用することができる。これにより座面部材３０の形状を安定して保持するとともに、脚部を座面部材３０に固定することが出来る。
【００１２】
座面部材３０の短辺部の長さは、図２に示すＵ字型パイプ部材１１、１２、１３、１４の腕部１１ａ、１１ｂ、１２ａ、１２ｂ、１３ａ、１３ｂ、１４ａ、１４ｂの長さの２倍を超える程度に、座面部材３０の長辺部の長さはＵ字型パイプ部材１１、１２の長手方向の寸法を超える程度に、また収納ケースとしての厚さは椅子部材に使用するパイプの外径の３から４倍程度に設定する。これにより座面部材３０内に椅子部材を容易に収納できると共に収納ケースとしてのサイズをコンパクトにすることが出来る。次に、座面部材３０に関し説明する。  
【００１３】
座面部材３０は、図１、図４、図５に示すように、座面となる表面生地３０ａと裏面生地３０ｂと、開閉用のファスナー３１と、端面強化部材３６と、中央部強化部材３７と、保持部材３３、３４とから構成される。保持部材３３、３４は、裏面生地３０ｂにそれぞれ縫い付けることが好ましい。座面部材３０は擦れや破れに強い帆布や合成繊維等の厚手の生地で作られていることが好ましい。
【００１４】
ファスナー３１の始端部３２ａと終端部３２ｂは、中央部強化部材３７の両端部にそれぞれ縫い付けることが好ましい。中央部強化部材３７は、裏面生地３０ｂに縫い付けられ、座面部材３０を強化する働きをする。このように、座面部材３０に縫い付ける部材を裏面生地３０ｂにのみ縫い付けることで、縫い目を表面生地３０ａ上に表さないものとすることが出来る。
【００１５】
表面生地３０ａと裏面生地３０ｂは周縁部近傍で互いに縫い付けられ、その縫い付け部分には、端面強化部材３６を更に縫い付けて縫い付け部分を強化することで、破れ等を防止することができる。また上記保持部材３３、３４を端面強化部材３６で強化された部分の近傍の裏面生地３０ｂに縫い付けることで、座面部材３０は使用者が座った時に発生する張力に耐える強度を持たせやすくなる。
【００１６】
図１に示すように携帯用椅子１の使用時には、ファスナー３１を縫い付けた座面部材３０の部分が、Ｕ字型パイプ部材１１、１３の底辺部１１ｃ、１３ｃを覆う。このファスナー３１を縫い付けた座面部材３０の部分は、使用者が座面部材３０上に座った時に発生する張力を受ける部分とすることもできる。
【００１７】
次に、図１、図２、図３を参照して脚部について説明する。第１四角形状部材４０は、図２（Ａ）に示す第１Ｕ字型パイプ部材１１と、図３（Ａ）に示す第１直管パイプ部材Ａの一方の直管パイプ１５と、図２（Ａ）に示す第１Ｕ字型パイプ部材１２と、図３（Ｂ）に示す第２直管パイプ部材Ｂの一方の直管パイプ１７とから構成される。
【００１８】
また第２四角形状部材５０は、図２（Ｂ）に示す第２Ｕ字型パイプ部材１３と、図３（Ａ）に示す第１直管パイプ部材Ａの一方の直管パイプ１６と、図２（Ｂ）に示す第１Ｕ字型パイプ部材１４と、図３（Ｂ）に示す第２直管パイプ部材Ｂの一方の直管パイプ１８とから構成される。
【００１９】
一対の四角形状部材４０、５０は、各パイプ部材の端部を嵌合することで形成される。このため、図２（Ａ）に示すように、第１Ｕ字型パイプ部材１１、１２の腕部１１ａ、１２ａ及び１１ｂ、１２ｂの端部は、直管パイプ１５、１７の内側に嵌合するように縮経している。また第２Ｕ字型パイプ部材１３、１４の腕部１３ａ、１４ａ及び１３ｂ、１４ｂの端部は、直管パイプ１６、１８の内側に嵌合するように縮経している。これにより、各パイプ部材が簡単に嵌合でき、四角形状部材４０、５０の組み立てが容易に行えるようにしている。
【００２０】
第１四角形状部材４０と第２四角形状部材５０とは、第１直管パイプ部材Ａを構成するパイプ１５、１６の長さ方向の略中央と第２直管パイプ部材Ｂを構成する直管パイプ１７、１８の長さ方向の略中央のそれぞれに設けられた貫通ピン１９、２０により回動可能に結合されている。
【００２１】
また第１直管パイプ部材Ａを構成する直管パイプ１５、１６と、第２直管パイプ部材Ｂを構成する直管パイプ１７、１８には、図３に示すように、それぞれ２本の直管の間に貫通ピン１９、２０が貫通するワッシャ２１、２２が設置され、第１四角形状部材４０と第２四角形状部材５０がスムーズに回動できるように構成されている。
【００２２】
第１四角形状部材４０を構成する各パイプ１１、１２、１５、１７の内側には、図４に示すように、ゴム紐Ｘなどの伸縮可能な部材が一繋がりになるように設置されることが好ましい。第２四角形状部材５０においても同様に、各パイプ１３、１４、１６、１８の内側に、例えば、ゴム紐Ｙなどの伸縮可能な部材が一繋がりになるように設置されることが好ましい。これにより、携帯用椅子１は折りたたみ、組み立て作業を容易に行うことが出来ると共に、脚部を構成する各パイプ部材の散乱を防止することが出来る。
【００２３】
次に、上記ゴム紐Ｘ、Ｙを備えた携帯用椅子１の折りたたみ方について説明する。図１の使用状態から、第１Ｕ字型パイプ部材１１の底辺部１１ｃと第２Ｕ字型パイプ部材１３の底辺部１３ｃを近づける。これにより、接地側の第１Ｕ字型パイプ部材１２の底辺部１２ｃと第２Ｕ字型パイプ部材１４の底辺部１４ｃも近づく。
【００２４】
次に、底辺部１１ｃと１３ｃを片方の手で持ち、接地側の底辺部１２ｃと１４ｃをもう片方の手で持つ。この状態で両方の手が離れるように引っ張り、中間部分にある第１直管パイプ部材Ａと第２直管パイプ部材Ｂを、第１Ｕ字型パイプ部材１１、１２、第２Ｕ字型パイプ部材１３、１４から外す。この時、第１直管パイプ部材Ａと第２直管パイプ部材Ｂが、互いにほぼ平行になると共に、パイプ内に配置されているゴム紐Ｘ、Ｙで宙づりの状態になる。
【００２５】
この状態で底辺部１１ｃ、１３ｃと、底辺部１２ｃ、１４ｃを、相対的に約１８０度回転させ、底辺部１２ｃ、１４ｃを座面部材３０に近づける。この結果、第１直管パイプ部材Ａと第２直管パイプ部材Ｂが、裏面生地３０ｂの中央部付近で互いに平行に並んだ状態になる。
【００２６】
この状態を維持しながら底辺部１１ｃ、１３ｃと底辺部１２ｃ、１４ｃとを接近させると図４に示すように、各パイプ部材が座面部材３０側に折りたたんだ状態になる。底辺部１２ｃ、１４ｃと、第１直管パイプ部材Ａと、第２直管パイプ部材Ｂとを、座面部材３０内に押し込むようにしながらファスナータグ３２を引っ張ってファスナー３１を閉じると、図５に示すように、脚部を座面部材３０内に収納した状態となる。座面部材３０の幅は使用時の座面の幅のほぼ半分になり持ち運び易くなる。
【００２７】
図４に示すように、第１直管パイプ部材Ａと第２直管パイプ部材Ｂは、第２Ｕ字型パイプ部材１３、１４の長手方向の寸法よりも短く、収納時に座面部材３０からはみ出すことはない。
【００２８】
脚部を座面部材３０に収納した状態から使用状態に組み立てる手順は前記収納手順を逆にたどることで実現できる。
【００２９】
以上説明したように、本考案によれば、折りたたんだ状態のサイズが小さく、収納ケースの置き忘れや紛失を防止できる携帯用椅子を提供することができる。
【符号の説明】
【００３０】
１  携帯用椅子
１１、１２  第１Ｕ字型パイプ部材
１３、１４  第２Ｕ字型パイプ部材
１５、１６、１７、１８  直管パイプ
１９、２０  貫通ピン
２１、２２  ワッシャ
３０  座面部材
３０ａ  表面生地
３０ｂ  裏面生地
３１  ファスナー
３２  ファスナータブ
３３、３４  保持部材
３６  端面強化部材
３７  中央部強化部材
４０  第１四角形状部材
５０  第２四角形状部材
Ａ  第１直管パイプ部材  
Ｂ  第２直管パイプ部材
Ｘ、Ｙ  ゴム紐
【図１】
0003230730.tif 000003
【図２】
0003230730.tif 000004
【図３】
0003230730.tif 000005
【図４】
0003230730.tif 000006
【図５】
0003230730.tif 000007